(57)【要約】【課題】車両の内部にスマートフォンを取付ける構造を提供すること。【解決手段】スマートフォン２は、粘着剤を介して車両１の内装部材７０に取付けられている。【選択図】図１
2012245953.tif 000002
【特許請求の範囲】
【請求項１】
車両の内部にスマートフォンを取付ける構造であって、取付構造を介して車両の内装部材にスマートフォンを取付けることを特徴とするスマートフォンの取付構造。       
【発明の詳細な説明】
【技術分野】
【０００１】本発明は、スマートフォンの取付構造に関し、詳しくは、車両の内部にスマートフォンを取付、配置する構造に関する。
【背景技術】
【０００２】従来、車両の内部に持ち込んだスマートフォンの取付として、例えば、特許文献１に示すように、空いているシートの着座面等に置いている。
【先行技術文献】
【特許文献】
【０００３】
【特許文献１】特開２００９−７６３４６号公報
【発明の概要】
【発明が解決しようとする課題】
【０００４】しかしながら、上述した従来技術では、車両の加速や減速によって、着座面からスマートフォンが滑り落ちることがあった。そのため、車両の内部にスマートフォンの取付ける構造が求められていた。【０００５】本発明は、このような課題を解決しようとするもので、その目的は、車両の内部にスマートフォンを取付ける構造を提供することである。
【課題を解決するための手段】
【０００６】  本発明は、上記の目的を達成するためのものであって、以下のように構成されている。請求項１に記載の発明は、車両の内部にスマートフォンを取付ける構造であって、取付構造を介して車両の内装部材にスマートフォンを取付けることを特徴とする構成である。この構成によれば、取付構造を介して車両の内装部材にスマートフォンを配置できる。
【図面の簡単な説明】
【０００７】
【図１】図１は、本発明の実施例１に係るスマートフォンの取付構造を配置した車両内部の斜視図である。
【図２】図２は、車両内部の斜視図である。
【図３】図３は、車両内部の斜視図である。
【図４】図４は、車両内部の斜視図である。
【図５】図５は、車両内部の斜視図である。
【図６】図６は、車両内部の斜視図である。
【図７】図７は、車両内部の斜視図である。
【図８】図８は、本発明の実施例２に係るスマートフォンの取付構造の図である。
【図９】図９は、本発明の実施例３に係るスマートフォンの取付構造の図である。
【図１０】図１０は、本発明の実施例４に係るスマートフォンの取付構造の図である。
【図１１】図１１は、本発明の実施例５に係るスマートフォンの取付構造の図である。
【図１２】図１２は、本発明の実施例６に係るスマートフォンの取付構造の図である。
【図１３】図１３は、本発明の実施例７に係るスマートフォンの取付構造の図である。
【図１４】図１４は、本発明の実施例８に係るスマートフォンの取付構造の図である。
【図１５】図１５は、本発明の実施例９に係るスマートフォンの取付構造の図である。
【図１６】図１６は、本発明の実施例１０に係るスマートフォンの取付構造の図である。
【図１７】図１７は、本発明の実施例１１に係るスマートフォンの取付構造の図である。
【図１８】図１８は、本発明の実施例１２に係るスマートフォンの取付構造の図である。
【図１９】図１９は、本発明の実施例１３に係るスマートフォンの取付構造の図である。
【図２０】図２０は、本発明の実施例１４に係るスマートフォンの取付構造の図である。
【図２１】図２１は、本発明の実施例１５に係るスマートフォンの取付構造の図である。
【図２２】図２２は、本発明の実施例１６に係るスマートフォンの取付構造の図である。
【図２３】図２３は、本発明の実施例１７に係るスマートフォンの取付構造の図である。
【図２４】図２４は、本発明の実施例１８に係るスマートフォンの取付構造の図である。
【図２５】図２５は、本発明の実施例１９に係るスマートフォンの取付構造の図である。
【図２６】図２６は、本発明の実施例２０に係るスマートフォンの取付構造の図である。
【図２７】図２７は、本発明の実施例２１に係るスマートフォンの取付構造の図である。
【図２８】図２８は、本発明の実施例２２に係るスマートフォンの取付構造の図である。
【図２９】図２９は、本発明の実施例２３に係るスマートフォンの取付構造の図である。
【図３０】図３０は、本発明の実施例２４に係るスマートフォンの取付構造の図である。
【図３１】図３１は、本発明の実施例２５に係るスマートフォンの取付構造の図である。
【図３２】図３２は、本発明の実施例２６に係るスマートフォンの取付構造の図である。
【図３３】図３３は、本発明の実施例２７に係るスマートフォンの取付構造の図である。
【図３４】図３４は、本発明の実施例２８に係るスマートフォンの取付構造の図である。
【図３５】図３５は、本発明の実施例２９に係るスマートフォンの取付構造の図である。
【図３６】図３６は、本発明の実施例３０に係るスマートフォンの取付構造の図である。
【図３７】図３７は、本発明の実施例３１に係るスマートフォンの取付構造の図である。
【図３８】図３８は、本発明の実施例３２に係るスマートフォンの取付構造の図である。
【図３９】図３９は、本発明の実施例３３に係るスマートフォンの取付構造の図である。
【図４０】図４０は、本発明の実施例３４に係るスマートフォンの取付構造の図である。
【図４１】図４１は、次世代コンソールの搭載される発明の図である。
【図４２】図４２は、次世代コンソールの搭載される発明の図である。
【図４３】図４３は、次世代コンソールの搭載される発明の図である。
【図４４】図４４は、次世代コンソールの搭載される発明の図である。
【図４５】図４５は、次世代コンソールの搭載される発明の図である。
【図４６】図４６は、次世代コンソールの搭載される発明の図である。
【図４７】図４７は、次世代コンソールの搭載される発明の図である。
【図４８】図４８は、次世代コンソールの搭載される発明の図である。
【図４９】図４９は、次世代コンソールの搭載される発明の図である。
【図５０】図５０は、次世代コンソールの搭載される発明の図である。
【図５１】図５１は、次世代コンソールの搭載される発明の図である。
【図５２】図５２は、次世代コンソールの搭載される発明の図である。
【図５３】図５３は、次世代コンソールの搭載される発明の図である。
【図５４】図５４は、次世代コンソールの搭載される発明の図である。
【図５５】図５５は、次世代コンソールの搭載される発明の図である。
【図５６】図５６は、次世代コンソールの搭載される発明の図である。
【図５７】図５７は、次世代コンソールの搭載される発明の図である。
【図５８】図５８は、次世代コンソールの搭載される発明の図である。
【図５９】図５９は、次世代コンソールの搭載される発明の図である。
【図６０】図６０は、次世代コンソールの搭載される発明の図である。
【図６１】図６１は、次世代コンソールの搭載される発明の図である。
【図６２】図６２は、次世代コンソールの搭載される発明の図である。
【図６３】図６３は、クラスタを着せ替えるための脱着構造の図である。
【図６４】図６４は、クラスタを着せ替えるための脱着構造の図である。
【図６５】図６５は、クラスタを着せ替えるための脱着構造の図である。
【図６６】図６６は、クラスタを着せ替えるための脱着構造の図である。
【図６７】図６７は、クラスタを着せ替えるための脱着構造の図である。
【図６８】図６８は、クラスタを着せ替えるための脱着構造の図である。
【図６９】図６９は、クラスタを着せ替えるための脱着構造の図である。
【図７０】図７０は、クラスタを着せ替えるための脱着構造の図である。
【図７１】図７１は、クラスタを着せ替えるための脱着構造の図である。
【図７２】図７２は、クラスタを着せ替えるための脱着構造の図である。
【図７３】図７３は、クラスタを着せ替えるための脱着構造の図である。
【図７４】図７４は、クラスタを着せ替えるための脱着構造の図である。
【図７５】図７５は、クラスタを着せ替えるための脱着構造の図である。
【図７６】図７６は、クラスタを着せ替えるための脱着構造の図である。
【図７７】図７７は、クラスタを着せ替えるための脱着構造の図である。
【図７８】図７８は、クラスタを着せ替えるための脱着構造の図である。
【図７９】図７９は、クラスタを着せ替えるための脱着構造の図である。
【図８０】図８０は、クラスタを着せ替えるための脱着構造の図である。
【図８１】図８１は、クラスタを着せ替えるための脱着構造の図である。
【図８２】図８２は、クラスタを着せ替えるための脱着構造の図である。
【図８３】図８３は、クラスタを着せ替えるための脱着構造の図である。
【発明を実施するための形態】
【０００８】以下、本発明を実施するための形態を、図面を用いて説明する。（実施例１）まず、図１から図７を参照して、本発明の実施例１を説明する。以下の説明にあたって、上、下、前、後、左、右とは、上述した図に記載した、上、下、前、後、左、右の方向、すなわち、車両１を基準にしたときの上、下、前、後、左、右の方向を示している。このことは、後述する全ての実施例においても同様である。
【０００９】なお、この実施例１では、取付構造は『車両の内装部材』に設置され、スマートフォンを固定する。『車両内装部材』としては、図１に示すようにインストルメントパネル７０の７２の場所があげられる。ただし、当該場所に限らず、図２から図７に示すように『車両内装材』として『オーバーヘッドモジュール６０、サンバイザー６３、インストルメントパネル７０、グラブボックス７１、センタークラスタ１００、コンソールボックス１２０、ボックス本体１２４、リッド１２６、ドア１３０、ドアトリム１３２、取っ手１３４、ドアポケット１３６、ハンドル１４０、コンソールアッパー１５０』があり、上記の場所に適宜設置されてもよい。このことは、後述する全ての実施例においても同様である。したがって、以下に説明する全ての実施例における取付構造は、指定が無ければ７２の場所へ設置すると仮定して説明を行うが、当該場所に限らず上記『車両の内装部材』の場所に適宜設置されている。
【００１０】図１に示すように、車両１のインストルメントパネル７０の７２の場所にはスマートフォンを取付けるための粘着材が貼られている。この構成によれば、スマートフォンは取付構造（粘着材）を介して車両１の内装部材の好きな場所に取付けることができる。以下に説明する全ての実施例における取付構造で、指定場所の無いものは全て７２の場所に取付けられると仮定する。
【００１１】  次に、図８に示すように、スマートフォンのセット後は別パネルでの操作。あくまでスマートフォンが認証キーのような役割。スマートフォンを下のたなに置き回転させながらセット。その時、背面のスイッチが押し込まれ連動して観音トビラがホールドしようと回転してクローズする。
【００１２】  次に、図９に示すように、スマートフォンがない時は、ふたのようなカバーがしてあり（カバー下はくぼみ）、カバーの上からスマートフォンを押し込むとカバーが押し込まれてくぼみに入って固定される。押し込みと同時に上下左右から固定用アームが出てきてスマートフォンを固定する（全部位に対応できると思われる）。
【００１３】次に、図１０に示すように、コンソールＵＰＲ前方からスマートフォンをスライドｉｎさせる。ＳＤカードやゲーム機のカセットのようにプッシュｉｎ、プッシュオープンにて走行中飛び出さない構造にする。
【００１４】  次に、図１１に示すように、コンソール前部は、又は上部にカセットテープの様なスリット部にスマートフォンを挿入する。半押して自動で引き込んでくれれば高級感ある。
【００１５】次に、図１２に示すように、コンソールのフタが２枚構造になっており、上面に開口あり、内側にスマートフォンを固定して開口より操作可。２枚構造のフタにより押しつけて固定。
【００１６】  次に、図１３に示すように、＜ドアコン内部に固定（収納）＞コンソールのドアコンを利用しスマートフォンを固定。条件＝センタリング可能。スマートフォンをセットすると自動で収納（見栄え安全性）。※画面・スピーカーと連動可能にし、マイクで操作出来るようにする。
【００１７】次に、図１４に示すように、４つの電動式ロック機構が中心に向かって同時に動くことで、スマートフォンをセンタリングして、ロックする。可動部はＳＷにより、ロックＯＮ／ＯＦＦする。ある一定のテンションがかかる（フォンをセンタリングする）と停止する。
【００１８】次に、図１５に示すように、コンソールリッド取付。スマートフォン部分を裏返して収納時に使用性を高める。
【００１９】次に、図１６に示すように、ギヤ連動でスマートフォンの上下リンク、左右リンクさせセンタリング。置場中央のＳＷをスマートフォンの自重で押すと固定用アームがホールド（ダンパを用いてゆっくりと）。ジャバラのキャタピラのような構造。
【００２０】次に、図１７に示すように、サイズ調整は下面にある穴に留め具を入れて決める。片方の引掛けは固定で、もう一方は可動する。
【００２１】次に、図１８に示すように、非接触充電機の近くにカードを置いていたらカードが使えなくなった事例がある。なので、電磁波が外に漏れない様フタが必要。固定はバネで、反発力ダンパで質感を確保。ラックピニオンの要領でＷ方向を固定する。Ｈ方向は形状でカバーする。
【００２２】次に、図１９に示すように、電池などの充電用の機器みたいに板バネで調整できるようにする。また、その部位を取外せるようにして枠もスマートフォン毎で入れ替えられるようにする。
【００２３】次に、図２０に示すように、ハンドル上部に箱形状のスマートフォン置きがあり、箱側面にエラストマー有り。エラストマーの弾性で固定。
【００２４】次に、図２１に示すように、１．別体固定内カバー（スマートフォンごとに合わせる）にスマートフォンを固定。２．別体カバーをハンドルに固定。
【００２５】次に、図２２に示すように、下側を先に挿入し、上側はフランジで引掛ける。センタリングは左右のやわらかい波形状で行う。
【００２６】次に、図２３に示すように、上部からスマートフォンを入れる構造へすることで車両前後方向へは動かないが、上方向へ飛び出す可能性があるため、バネ式のロックで、上方向への飛び出しを防ぐ。
【００２７】次に、図２４に示すように、基本的にコンソールと同じ（ハンドル中央部にスマートフォン用ＢＯＸを設置する）、ただし安全性の問題ある為、ＢＯＸの上面を透明なアクリル樹脂等で保護する。樹脂カバーの開閉は手動で、簡単にロック＆解除できる様にする。
【００２８】次に、図２５に示すように、ハンドルのセンター部に差込み式でスマートフォンが置けるスペースがあり、はめ込んで透明な樹脂で作ったふたを閉めて固定する。
【００２９】次に、図２６に示すように、ハンドルに埋め込みタイプ。エラストマーはスポンジ（弾力性の強いもの）等の外枠にはめ込む。取り出し時はスイッチを押すと外枠を広げる事で、取り出す。
【００３０】次に、図２７に示すように、ハンドルセンターに固定し、ハンドルスイッチでコントロール。固定部に爪力で行い、取る時は別の所のスイッチで外す。
【００３１】次に、図２８に示すように、ハンドルには、危険なため固定しない。コンソール、インパネ、クラスタに固定したスマートフォンをステアリングコントローラで操作するようにする。
【００３２】次に、図２９に示すように、スマートフォン自体をインパネ差込み形状に突っ込む。（画面は見ない、ブルートゥース接続で電化する。
【００３３】次に、図３０に示すように、スマートフォンの大きさに合せられる様に段をつけ、大きさが合った所で固定させる様にする。
【００３４】次に、図３１に示すように、スプリング式の固定機構。横向きに立てかけるイメージなのでスマートフォンの下面のＨ位置はどの大きさでも同じ。（非接触充電器を下によせれば可能である。）
【００３５】次に、図３２に示すように、インパネの一部にスマートフォンを置ける凹の部分があり、底面にシリコン状のパッドを敷き、置くと横からピンが出てきて固定する。
【００３６】次に、図３３に示すように、インパネ上部に固定して、ＨＵＤの様な形で情報を表示する。固定は同期して回転するカムを用意し、１つは組付け後に固定する為、１つはカムを回転させる為、に使う。ロックは機能部品のカムがよいと思われる。
【００３７】次に、図３４に示すように、＜コンベア式を利用＞インパネ上を充電したまま、ユーザーの好みの位置に変更出来る。回転寿司のコンベア技術で今まではベルトコンベアしかなかったが、ベルト式ではなく、磁石などを利用して物を移動させる技術を応用する。
【００３８】次に、図３５に示すように、ドリンクホルダーみたいに押すと取付けが出てくる、固定方法ははさんでとめる。センタリングはコピー機の紙置きのようにする。
【００３９】次に、図３６に示すように、クラスタの上下に凹穴があり、上を先入れ、下に差込む。センタリングは、充電部分を任意の場所に移動できるように可動式。
【００４０】次に、図３７に示すように、センタークラスタに下図のスマートフォンが車両上側から挿入する形で、上側のＨ方向の規制部分は、スプリングでプッシュで凹む構造になっている。
【００４１】次に、図３８に示すように、スマートフォンの取付構造をインパネ上に設けて、ホールドさせてもよい。取付構造には、エラストマーなどでスマートフォンの形状に追随して保持するような機能を設けてもよい。また取付時に非接触充電を行ってもよい。またコンソール上に設けた上下のツメでスマートフォンを挟み込むようにしてもよい。またプッシュ式の蓋が設けられた凹部にスマートフォンを載置してもよい。また両面吸盤を用いて、好きな場所へスマートフォンを取付けてもよい。
【００４２】次に、図３９に示すように、スマートフォンを例えばアクリル系樹脂（透明）からなるケースに収めてもよい。また当該ケースを別途設けた照明によってケースを光らせてもよい、また別体ケースとして、３６０度回転可能な取付構造をインパネ上に設けてもよい。また別体ケースとして、充電端子が取付けられていてもよい。
【００４３】次に、図４０に示すように、従来からあるカップホルダへスマートフォンを取付けてもよい。
【００４４】次に、以下に示すように、次世代のコンソールとして、様々な機能を搭載するコンソールの発明を図４１から図６２を通して説明する。
【００４５】次に、図４１に示すように、コンソール内部に映像を立体的に写すシステム構築。画面では無く、立体的に映像を楽しむ。
【００４６】次に、図４２に示すように、ティッシュBOXとゴミ箱。※以外とありそうで無いと思いますが、あれば便利です。
【００４７】次に、図４３に示すように、アイポット、ケイタイの充電ができるようにする。
【００４８】次に、図４４に示すように、テーブル機能。→（子供の世話で使う荷物を置く。軽食の置場）
【００４９】次に、図４５に示すように、ＰＣのハードディスクをコンソールに内臓すれば、センクラのディスプレーで色々な事が出来そう。
【００５０】次に、図４６に示すように、必要な操作パネルを出せる。
【００５１】次に、図４７に示すように、ＰＣが後方の座席から操作できる。ブルートゥースもしくは無線ＬＡＮでインターネットに接続できる。
【００５２】次に、図４８に示すように、コンソールに埋め込みの水槽を付ける。密閉し中に藻を入れる事で、酸素発生と二酸化炭素発生のバランスをとる。
【００５３】次に、図４９に示すように、近年、家族向けやＳＵＶ車等が多くなっていることを受け、取り外し可能なベンチシート。シートとの隙を十分に確保した上で、容易な脱着。足は内側に折りたたみ、車内が汚れないようにする。
【００５４】次に、図５０に示すように、従来の『ちょい置き』スペースをＰＵＳＨ式のＣ／Ｈの機構を利用して、物を置き押し他事（荷重を加えた時）に底が下がり、もう一度、底を押すと品物が上がって来るような『ちょい置きしたいときに意匠パネルが下がり底面になる』スペースとする。
【００５５】次に、図５１に示すように、電子レンジ、加湿器、冷凍冷蔵庫等、家電製品を車載用の統一サイズで製造。専用でなく、多くの車種を共用とする事で、コストを下げる。
【００５６】次に、図５２に示すように、脱着可能なコンソール。重い物を運ぶ時に便利なキャリー機能付。
【００５７】次に、図５３に示すように、１．後部座席用モニター。２．引出し式トレー：前方／後方のどちらでも使用可能。
【００５８】次に、図５４に示すように、タバコがいくつか保管でき、自動で出てくる。
【００５９】  次に、図５５に示すように、カサ入れ。
【００６０】次に、図５６に示すように、箱にもなり、展開して、かばん置場にもなる。
【００６１】次に、図５７に示すように、ボタンでドアの開閉ができる。
【００６２】次に、図５８に示すように、コンソール部にＩＨの構造を付け、カップなどを置くとお湯が沸かせる。車内で熱いコーヒー、カップ麺などが食べられる、保温もできる。
【００６３】次に、図５９に示すように、車用の芳香材の詰め替え用が入るスペース。見た目がすっきりし、詰め替え用なのでエコ、またはアロマ対応。
【００６４】次に、図６０に示すように、折りたたみ可能なコンソール。１ＢＯＸ車のウォークスルー機能をＳ／Ｄ車にも。
【００６５】次に、図６１に示すように、ミニシアター。コンソール自体がモニター、オーディオ、ＲＲ席ユーザーがテレビを見る。
【００６６】次に、図６２に示すように、ゴミ箱のない車がほとんどで、大体の人は袋を丸出しか、外付けのゴミ箱を購入している。コンソールにふた付きで、装備されていれば室内がきれいになる。
【００６７】次に、以下に示すように、クラスタを脱着させてインパネの着せ替えを楽しむ発明を以下の図６３から図８３を通して説明する。
【００６８】次に、図６３に示すように、積み木の様なクラスタ。ベースに対し、上から差し込むアーパーで押さえる。（着せかえも対応）
【００６９】次に、図６４に示すように、Ｉ／Ｐサイドのロックを解除し回転させて取外し。ユーザーでも可能な着替え。
【００７０】次に、図６５に示すように、＜ピンタイプ構造＞ノブを引くとピンが内側に入りロック解除、通常はロック（ピンが外側）。このタイプをクラスタを固定する所に設定し、簡単に脱着出来るようにする。ピン上面は意匠面とツラにする。
【００７１】次に、図６６に示すように、爪、クリップではなく、フック構造にし、上に押し上げるだけで取れるようにする。
【００７２】次に、図６７に示すように、上は引掛けで下にブリーフケースのパッチンロックで固定するクラスタ。
【００７３】次に、図６８に示すように、クラスタ横にスライド機構を設け、ロックを掛ける。
【００７４】次に、図６９に示すように、クラスタの両サイドに樹脂ヒンジのふたがあり、ふたを開けるとカギ形状の孔が開いている。インパネ側にカギ形状にひっかける凸形状があり、装着方法として、カギ孔に凸形状を通し、クラスタを押し下げて固定する。
【００７５】次に、図７０に示すように、コンプレッサーでエアを送り、ふくらませたゴム状の物で固定する。エアを抜けば取外せる。
【００７６】次に、図７１に示すように、インパネとクラスタの間にビニールを挟み、そこにエアーを入れる。（圧力で固定）外す時はエアーを抜く。
【００７７】次に、図７２に示すように、クラスタ全体が折りたためる構造になっている。折りたたんだ形状でインパネに取り付け、たたんである部分を伸ばすことで完成形状となる。
【００７８】次に、図７３に示すように、クラスタをＢＫＴに引掛け。ＢＫＴに付くワイヤーをまきとり固定する。自転車のクイックリリースレバーと同じ原理で、クラスタのパネルをインパネ下から締めて留める。
【００７９】次に、図７４に示すように、電磁石でひっつける。ツメ無しで位置決めの差込みのみバッテリーが外れない限り外れなくし、見えない所にｏｆｆスイッチを仕込んでおく。
【００８０】次に、図７５に示すように、クラスタに取付形状として凹を造り、インパネの下部を差込板付の意匠パネルとする。差込むことで、Ｌ方向を規制する。
【００８１】次に、図７６に示すように、クラスタ部が一部可動し、別パーツの差込み固定。
【００８２】次に、図７７に示すように、クラスタを全面液晶にし、その上に透明のフィルムを使った意匠変更機能を取り付ける。フィルムは、３枚までストックでき、使う色のフィルムだけに色が付く事で、液晶の背景になる。
【００８３】次に、図７８に示すように、（オーディオの場合）スライドする板にオーディオを装着させ収納させる。
【００８４】次に、図７９に示すように、オーディオ、ヒーコン等は配線がある為、それらの配線をひとまとめにしたユニットにしないと簡単には変えられないと思います。
【００８５】次に、図８０に示すように、クラスタと内機を一体にしてインパネ側のＢＫＴに留める。
【００８６】次に、図８１に示すように、左記のスライドを種類分けする。ＡとＢのスライドを抜くと内機＋クラスタがＡのスライドを抜くとクラスタのみが外れる。
【００８７】次に、図８２に示すように、引出しＢＯＸのように凹凸（レール）を使って脱着する。（引出しＢＯＸは前後に動かすが、この場合は上下に動かして脱着させる。）
【００８８】次に、図８３に示すように、内機のヒーコン、オーディオのコネクタ部を大きくし、コネクタと取付けを一体にし、ロック可能なスイッチで脱着可能に。
【符号の説明】
【００８９】１        車両２        スマートフォン１４      シートバック（内装部材）３０      サンバイザー（内装部材）４０      グローブボックス（内装部材）５０      バックミラー（内装部材）６０      オーバーヘッドコンソール（内装部材）７０      インストルメントパネル（内装部材）１０２    カップホルダー（内装部材）１２０    コンソールボックス（内装部材）１３２    ドアトリム（内装部材）１４０    ハンドル（内装部材） 
【図８】
2012245953.tif 000003
【図９】
2012245953.tif 000004
【図１０】
2012245953.tif 000005
【図１１】
2012245953.tif 000006
【図１２】
2012245953.tif 000007
【図１３】
2012245953.tif 000008
【図１４】
2012245953.tif 000009
【図１５】
2012245953.tif 000010
【図１６】
2012245953.tif 000011
【図１７】
2012245953.tif 000012
【図１８】
2012245953.tif 000013
【図１９】
2012245953.tif 000014
【図２０】
2012245953.tif 000015
【図２１】
2012245953.tif 000016
【図２２】
2012245953.tif 000017
【図２３】
2012245953.tif 000018
【図２４】
2012245953.tif 000019
【図２５】
2012245953.tif 000020
【図２６】
2012245953.tif 000021
【図２７】
2012245953.tif 000022
【図２８】
2012245953.tif 000023
【図２９】
2012245953.tif 000024
【図３０】
2012245953.tif 000025
【図３１】
2012245953.tif 000026
【図３２】
2012245953.tif 000027
【図３３】
2012245953.tif 000028
【図３４】
2012245953.tif 000029
【図３５】
2012245953.tif 000030
【図３６】
2012245953.tif 000031
【図３７】
2012245953.tif 000032
【図３８】
2012245953.tif 000033
【図３９】
2012245953.tif 000034
【図４０】
2012245953.tif 000035
【図４１】
2012245953.tif 000036
【図４２】
2012245953.tif 000037
【図４３】
2012245953.tif 000038
【図４４】
2012245953.tif 000039
【図４５】
2012245953.tif 000040
【図４６】
2012245953.tif 000041
【図４７】
2012245953.tif 000042
【図４８】
2012245953.tif 000043
【図４９】
2012245953.tif 000044
【図５０】
2012245953.tif 000045
【図５１】
2012245953.tif 000046
【図５２】
2012245953.tif 000047
【図５３】
2012245953.tif 000048
【図５４】
2012245953.tif 000049
【図５５】
2012245953.tif 000050
【図５６】
2012245953.tif 000051
【図５７】
2012245953.tif 000052
【図５８】
2012245953.tif 000053
【図５９】
2012245953.tif 000054
【図６０】
2012245953.tif 000055
【図６１】
2012245953.tif 000056
【図６２】
2012245953.tif 000057
【図６３】
2012245953.tif 000058
【図６４】
2012245953.tif 000059
【図６５】
2012245953.tif 000060
【図６６】
2012245953.tif 000061
【図６７】
2012245953.tif 000062
【図６８】
2012245953.tif 000063
【図６９】
2012245953.tif 000064
【図７０】
2012245953.tif 000065
【図７１】
2012245953.tif 000066
【図７２】
2012245953.tif 000067
【図７３】
2012245953.tif 000068
【図７４】
2012245953.tif 000069
【図７５】
2012245953.tif 000070
【図７６】
2012245953.tif 000071
【図７７】
2012245953.tif 000072
【図７８】
2012245953.tif 000073
【図７９】
2012245953.tif 000074
【図８０】
2012245953.tif 000075
【図８１】
2012245953.tif 000076
【図８２】
2012245953.tif 000077
【図８３】
2012245953.tif 000078
【図１】
2012245953.tif 000079
【図２】
2012245953.tif 000080
【図３】
2012245953.tif 000081
【図４】
2012245953.tif 000082
【図５】
2012245953.tif 000083
【図６】
2012245953.tif 000084
【図７】
2012245953.tif 000085